(57)【要約】【課題】  複数の施錠部の施錠または解錠状態を各々に検出することで、より安全性の高い扉施錠状態検出装置を提供することを目的とする。【解決手段】  第１の光通過部２ａが形成された第１の施錠部２と、第２の光通過部３ａが形成された第２の施錠部３と、投光部６と、第１の受光部７ａと、第２の受光部７ｂとを備え、第１の施錠部２には投光部６の投光する光を第２の受光部７ｂに向けて反射する反射部９０が形成されており、第２の施錠部７ｂには投光部６の投光する光を第２の受光部７ｂに向けては反射せずかつ透過しない遮光部９１が形成されており、第１と第２の受光部７ａ、７ｂが投光部６からの光を受光するか否かで、施錠の状態を検出する。【選択図】  図５
2005034554.tif 000002
【特許請求の範囲】
【請求項１】
筐体に対して開閉自在に取り付けられ、閉じることにより前記筐体を閉鎖する扉を、前記筐体に施錠する施錠部であって、所定の位置に第１の光通過部が形成された第１の施錠部と；
前記扉を前記筐体に施錠する施錠部であって、所定の位置に第２の光通過部が形成された第２の施錠部とを備え；
前記筐体又は前記扉のいずれか一方に配設された、光を投光する投光部と；
前記筐体又は前記扉のうち前記投光部の配設されなかった方に配設され、前記投光部によって投光された光を前記第１の光通過部と前記第２の光通過部とを通過して受光する第１の受光部と；
前記筐体又は前記扉のうち前記投光部の配設された方に配設され、前記投光部によって投光された光の反射光を受光する第２の受光部とを備え；
前記第１の施錠部には前記投光部の投光する光を前記第２の受光部に向けて反射する反射部が形成されており；
前記第２の施錠部には前記投光部の投光する光を前記第２の受光部に向けては反射せずかつ透過しない遮光部が形成されており；
前記第１と第２の受光部が前記投光部からの光を受光するか否かで、前記施錠の状態を検出する；
扉施錠状態検出装置。
【請求項２】
前記第１の施錠部は前記第２の施錠部と前記第２の受光部との間に配置され；
前記第１の施錠部の前記所定の位置に形成された前記第１の光通過部と、前記第２の施錠部の前記所定の位置に形成された前記第２の光通過部とが、前記第１の施錠部及び前記第２の施錠部が施錠状態にある時に重畳するように形成され；
前記反射部は、前記第１の施錠部が解錠した時に前記光を前記第２の受光部に向けて反射するように構成され；
前記遮光部は、前記第２の施錠部が解錠した時に前記光を遮光するように構成された；
請求項１に記載の扉施錠状態検出装置。
【請求項３】
前記第１の施錠部は前記第２の施錠部と前記第２の受光部との間に配置され；
前記第１の施錠部の前記所定の位置に形成された前記第１の光通過部と、前記第２の施錠部の前記所定の位置に形成された前記第２の光通過部とが、前記第１の施錠部が施錠状態で前記第２の施錠部が解錠状態にある時に重畳するように形成され；
前記反射部は、前記第１の施錠部が解錠した時に前記光を前記第２の受光部に向けて反射するように構成され；
前記遮光部は、前記第２の施錠部が施錠状態にある時に前記光を遮光するように構成された；
請求項１に記載の扉施錠状態検出装置。
【請求項４】
前記第１の施錠部は前記第２の施錠部と前記第２の受光部との間に配置され；
前記第１の施錠部の前記所定の位置に形成された前記第１の光通過部と、前記第２の施錠部の前記所定の位置に形成された前記第２の光通過部とが、前記第１の施錠部が解錠状態で前記第２の施錠部が施錠状態にある時に重畳するように形成され；
前記反射部は、前記第１の施錠部が施錠状態にある時に前記光を前記第２の受光部に向けて反射するように構成され；
前記遮光部は、前記第２の施錠部が解錠した時に前記光を遮光するように構成された；
請求項１に記載の扉施錠状態検出装置。
【請求項５】
前記第１の施錠部は前記第２の施錠部と前記第２の受光部との間に配置され；
前記第１の施錠部の前記所定の位置に形成された前記第１の光通過部と、前記第２の施錠部の前記所定の位置に形成された前記第２の光通過部とが、前記第１の施錠部及び前記第２の施錠部が解錠状態にある時に重畳するように形成され；
前記反射部は、前記第１の施錠部が施錠した時に前記光を前記第２の受光部に向けて反射するように構成され；
前記遮光部は、前記第２の施錠部が施錠した時に前記光を遮光するように構成された；
請求項１に記載の扉施錠状態検出装置。
【請求項６】
前記第１の施錠部は前記第２の施錠部と前記第１の受光部との間に配置され；
前記第１の施錠部の前記所定の位置に形成された前記第１の光通過部と、前記第２の施錠部の前記所定の位置に形成された前記第２の光通過部とが、前記第１の施錠部及び前記第２の施錠部が施錠状態にある時に重畳するように形成され；
前記反射部は、前記第１の施錠部が解錠した時に前記光を前記第２の受光部に向けて反射するように構成され；
前記遮光部は、前記第２の施錠部が解錠した時に前記光を遮光するように構成された；
請求項１に記載の扉施錠状態検出装置。
【請求項７】
前記第１の施錠部は前記第２の施錠部と前記第１の受光部との間に配置され；
前記第１の施錠部の前記所定の位置に形成された前記第１の光通過部と、前記第２の施錠部の前記所定の位置に形成された前記第２の光通過部とが、前記第１の施錠部が解錠状態で前記第２の施錠部が施錠状態にある時に重畳するように形成され；
前記反射部は、前記第１の施錠部が施錠状態にある時に前記光を前記第２の受光部に向けて反射するように構成され；
前記遮光部は、前記第２の施錠部が解錠した時に前記光を遮光するように構成された；
請求項１に記載の扉施錠状態検出装置。
【請求項８】
前記第１の施錠部は前記第２の施錠部と前記第１の受光部との間に配置され；
前記第１の施錠部の前記所定の位置に形成された前記第１の光通過部と、前記第２の施錠部の前記所定の位置に形成された前記第２の光通過部とが、前記第１の施錠部が施錠状態で前記第２の施錠部が解錠状態にある時に重畳するように形成され；
前記反射部は、前記第１の施錠部が解錠した時に前記光を前記第２の受光部に向けて反射するように構成され；
前記遮光部は、前記第２の施錠部が施錠状態にある時に前記光を遮光するように構成された；
請求項１に記載の扉施錠状態検出装置。
【請求項９】
前記第１の施錠部は前記第２の施錠部と前記第１の受光部との間に配置され；
前記第１の施錠部の前記所定の位置に形成された前記第１の光通過部と、前記第２の施錠部の前記所定の位置に形成された前記第２の光通過部とが、前記第１の施錠部及び前記第２の施錠部が解錠状態にある時に重畳するように形成され；
前記反射部は、前記第１の施錠部が施錠した時に前記光を前記第２の受光部に向けて反射するように構成され；
前記遮光部は、前記第２の施錠部が施錠した時に前記光を遮光するように構成された；
請求項１に記載の扉施錠状態検出装置。
【請求項１０】
前記第１の施錠部は、前記筐体と前記扉とを係止し、前記第２の施錠部の施錠は、前記第１の施錠部と前記第２の施錠部とが当接することで前記第１の施錠部の移動を制限する；
請求項１乃至請求項３又は請求項８又は請求項９のいずれか１項に記載の扉施錠状態検出装置。
【請求項１１】
前記第１の施錠部は、前記第２の施錠部と当接し、前記第２の施錠部の施錠は、前記筐体と前記扉とを係止することである；
請求項１又は請求項４乃至請求項７のいずれか１項に記載の扉施錠状態検出装置。
【請求項１２】
請求項１乃至請求項１１のいずれか１項に記載の扉施錠状態検出装置と；
有価の遊技媒体を収容する遊技媒体収容部と；
前記遊技媒体収容部を収納する前記筐体と；
前記筐体を閉鎖する前記扉とを備えた；
遊技機。
【発明の詳細な説明】
【技術分野】
【０００１】
本発明は扉施錠状態検出装置及び遊技機に関し、特に複数の施錠部の施錠または解錠状態を各々に検出することで、より安全性の高い扉施錠状態検出装置及び遊技機に関するものである。
【背景技術】
【０００２】
従来から、例えば、ポーカーマシン、スロットマシン等の遊技機には、開閉自在に構成された本体内部に遊技機を構成する各機構を収容し、該本体が閉鎖状態にある時に不正行為、例えば、本体内部に収容されているコイン、紙幣等の有価の遊技媒体を無断で取り出す行為を防止するために施錠をするものがあった。さらに、遊技機本体を構成するキャビネットに送信器を、ドアに受信器をそれぞれが対応する位置に設け、送信器が送る信号と受信器が受け取る信号とをモニターすることで、両信号が一致するときにはドアが閉じている状態、一致しないときにはドアは開いている状態であるというように、遊技機本体が開放状態であるかまたは閉鎖状態であるかを確認することができる扉施錠状態検出装置があった（例えば、特許文献１参照。）。
【特許文献１】特開昭５９−８５号公報  （第３−４頁、第２−４図）
【発明の開示】
【発明が解決しようとする課題】
【０００３】
しかしながら、上記のような従来の扉施錠状態検出装置及び遊技機では、例えば、複数の施錠部を備える場合に、いずれの施錠部が施錠または解錠状態であるかを検出することができなかったため、安全上好ましくなかった。
【０００４】
そこで本発明は、複数の施錠部の施錠または解錠状態を各々に検出することで、より安全性の高い扉施錠状態検出装置及び遊技機の提供を目的とする。
【課題を解決するための手段】
【０００５】
上記目的を達成するために、請求項１に係る発明による扉施錠状態検出装置は、例えば図５に示すように、筐体１４に対して開閉自在に取り付けられ、閉じることにより筐体１４を閉鎖する扉１６を、筐体１４に施錠する施錠部であって、所定の位置に第１の光通過部２ａが形成された第１の施錠部２と；扉１６を筐体１４に施錠する施錠部であって、所定の位置に第２の光通過部３ａが形成された第２の施錠部３とを備え；筐体１４又は扉１６のいずれか一方に配設された、光を投光する投光部６と；筐体１４又は扉１６のうち投光部６の配設されなかった方に配設され、投光部６によって投光された光を第１の光通過部２ａと第２の光通過部３ａとを通過して受光する第１の受光部７ａと；筐体１４又は扉１６のうち投光部６の配設された方に配設され、投光部６によって投光された光の反射光を受光する第２の受光部７ｂとを備え；第１の施錠部２には投光部６の投光する光を第２の受光部７ｂに向けて反射する反射部９０が形成されており；第２の施錠部３には投光部６の投光する光を第２の受光部７ｂに向けては反射せずかつ透過しない遮光部９１が形成されており；第１と第２の受光部７ａ、７ｂが投光部６からの光を受光するか否かで、施錠の状態を検出するように構成されている。
【０００６】
このように構成すると、第１の受光部７ａ又は第２の受光部７ｂが投光部６からの光を受光するので、複数の施錠部の施錠または解錠状態を各々に検出することで、より安全性の高い扉施錠状態検出装置を提供することができる。
【０００７】
なお、典型的には、投光部６の投光する光は、自然光と区別できる光、例えばパルス光である。
【０００８】
典型的には、請求項１に係る発明による扉施錠状態検出装置は、第１の施錠部２及び第２の施錠部３は投光部６と第１の受光部７ａとの間に配置される。
【０００９】
典型的には、請求項１に係る発明による扉施錠状態検出装置は、第１の光通過部２と第２の光通過部３ａの投光部６に対する相対的位置関係を検知する。
【００１０】
また請求項２に記載のように、（例えば、図６、図７Ｃａｓｅ１参照）請求項１に記載の扉施錠状態検出装置では、第１の施錠部２は第２の施錠部３と第２の受光部７ｂとの間に配置され；第１の施錠部２の所定の位置に形成された第１の光通過部２ａと、第２の施錠部３の所定の位置に形成された第２の光通過部３ａとが、第１の施錠部２及び第２の施錠部３が施錠状態にある時に重畳するように形成され；反射部９０は、第１の施錠部２が解錠した時に光を第２の受光部７ｂに向けて反射するように構成され；遮光部９１は、第２の施錠部３が解錠した時に光を遮光するように構成してもよい。
【００１１】
また請求項３に記載のように、（例えば、図６、図７Ｃａｓｅ２参照）請求項１に記載の扉施錠状態検出装置では、第１の施錠部２は第２の施錠部３と第２の受光部７ｂとの間に配置され；第１の施錠部２の所定の位置に形成された第１の光通過部２ａと、第２の施錠部３の所定の位置に形成された第２の光通過部３ａとが、第１の施錠部２が施錠状態で第２の施錠部３解錠状態にある時に重畳するように形成され；反射部９０は、第１の施錠部２が解錠した時に光を第２の受光部７ｂに向けて反射するように構成され；遮光部９１は、第２の施錠部３が施錠状態にある時に光を遮光するように構成してもよい。
【００１２】
また請求項４に記載のように、（例えば、図６、図７Ｃａｓｅ３参照）請求項１に記載の扉施錠状態検出装置では、第１の施錠部３は第２の施錠部２と第２の受光部７ｂとの間に配置され；第１の施錠部３の所定の位置に形成された第１の光通過部３ａと、第２の施錠部２の所定の位置に形成された第２の光通過部２ａとが、第１の施錠部３が解錠状態で第２の施錠部２が施錠状態にある時に重畳するように形成され；反射部９０は、第１の施錠部３が施錠状態にある時に光を第２の受光部７ｂに向けて反射するように構成され；遮光部９１は、第２の施錠部２が解錠した時に光を遮光するように構成してもよい。
【００１３】
また請求項５に記載のように、（例えば、図６、図７Ｃａｓｅ４参照）請求項１に記載の扉施錠状態検出装置では、第１の施錠部３は第２の施錠部２と第２の受光部７ｂとの間に配置され；第１の施錠部３の所定の位置に形成された第１の光通過部３ａと、第２の施錠部２の所定の位置に形成された第２の光通過部２ａとが、第１の施錠部３及び第２の施錠部２が解錠状態にある時に重畳するように形成され；反射部９０は、第１の施錠部３が施錠した時に光を第２の受光部７ｂに向けて反射するように構成され；遮光部９１は、第２の施錠部２が施錠した時に光を遮光するように構成してもよい。
【００１４】
また請求項６に記載のように、（例えば、図９、図１０Ｃａｓｅ５参照）請求項１に記載の扉施錠状態検出装置では、第１の施錠部３は第２の施錠部２と第１の受光部７ａとの間に配置され；第１の施錠部３の所定の位置に形成された第１の光通過部３ａと、第２の施錠部２の所定の位置に形成された第２の光通過部１０２ａとが、第１の施錠部３及び第２の施錠部２が施錠状態にある時に重畳するように形成され；反射部９０は、第１の施錠部３が解錠した時に光を第２の受光部７ｂに向けて反射するように構成され；遮光部９１は、第２の施錠部２が解錠した時に光を遮光するように構成してもよい。
【００１５】
また請求項７に記載のように、（例えば、図９、図１０Ｃａｓｅ６参照）請求項１に記載の扉施錠状態検出装置では、第１の施錠部３は第２の施錠部２と第１の受光部７ａとの間に配置され；第１の施錠部３の所定の位置に形成された第１の光通過部３ａと、第２の施錠部２の所定の位置に形成された第２の光通過部１０２ａとが、第１の施錠部３が解錠状態で第２の施錠部２が施錠状態にある時に重畳するように形成され；反射部９０は、第１の施錠部３が施錠状態にある時に光を第２の受光部７ｂに向けて反射するように構成され；遮光部９１は、第２の施錠部２が解錠した時に光を遮光するように構成してもよい。
【００１６】
また請求項８に記載のように、（例えば、図９、図１０Ｃａｓｅ７参照）請求項１に記載の扉施錠状態検出装置では、第１の施錠部２は第２の施錠部３と第１の受光部７ａとの間に配置され；第１の施錠部２の所定の位置に形成された第１の光通過部１０２ａと、第２の施錠部３の所定の位置に形成された第２の光通過部３ａとが、第１の施錠部２が施錠状態で第２の施錠部３が解錠状態にある時に重畳するように形成され；反射部９０は、第１の施錠部２が解錠した時に光を第２の受光部７ｂに向けて反射するように構成され；遮光部９１は、第２の施錠部３が施錠状態にある時に光を遮光するように構成してもよい。
【００１７】
また請求項９に記載のように、（例えば、図９、図１０Ｃａｓｅ８参照）請求項１に記載の扉施錠状態検出装置では、第１の施錠部２は第２の施錠部３と第１の受光部７ａとの間に配置され；第１の施錠部２の所定の位置に形成された第１の光通過部１０２ａと、第２の施錠部３の所定の位置に形成された第２の光通過部３ａとが、第１の施錠部２及び第２の施錠部３が解錠状態にある時に重畳するように形成され；反射部９０は、第１の施錠部２が施錠した時に光を第２の受光部７ｂに向けて反射するように構成され；遮光部９１は、第２の施錠部３が施錠した時に光を遮光するように構成してもよい。
【００１８】
また請求項１０に記載のように、（例えば、図６、図７Ｃａｓｅ１、Ｃａｓｅ２、図９、図１０Ｃａｓｅ７、Ｃａｓｅ８参照）請求項１乃至請求項３又は請求項８又は請求項９のいずれか１項に記載の扉施錠状態検出装置では、第１の施錠部は、筐体１４と扉１６とを係止し、第２の施錠部の施錠は、第１の施錠部と第２の施錠部とが当接することで第１の施錠部の移動を制限するように構成してもよい。
【００１９】
また請求項１１に記載のように、（例えば、図６、図７Ｃａｓｅ３、Ｃａｓｅ４、図９、図１０Ｃａｓｅ５、Ｃａｓｅ６参照）請求項１又は請求項４乃至請求項７のいずれか１項に記載の扉施錠状態検出装置では、前記第１の施錠部は、前記第２の施錠部と当接し、前記第２の施錠部の施錠は、前記筐体と前記扉とを係止することであるとしてもよい。
【００２０】
典型的には、第１の施錠部と第２の施錠部とは、どちらか一方が他方の移動を制限するように構成されている。
【００２１】
上記目的を達成するために、請求項１２に係る発明による遊技機は、例えば図２に示すように、請求項１乃至請求項１１のいずれか１項に記載の扉施錠状態検出装置と；有価の遊技媒体を収容する遊技媒体収容部５４、５８と；遊技媒体収容部５４、５８を収納する筐体１４と；筐体１４を閉鎖する扉１６とを備えるように構成されている。
【００２２】
このように構成すると、請求項１乃至請求項１１のいずれか１項に記載の扉施錠状態検出装置を備え、受光部７が投光部６からの光を受光することで施錠の状態を検出するので、複数の施錠部の施錠または解錠状態を各々に検出することで、より安全性の高い遊技機を提供することができる。
【発明の効果】
【００２３】
以上のように本発明によれば、複数の施錠部の施錠または解錠状態を各々に検出することで、より安全性の高い扉施錠状態検出装置及び遊技機を提供することができる。
【発明を実施するための最良の形態】
【００２４】
以下、本発明の実施の形態について、図面を参照して説明する。なお、各図においてお互いに同一あるいは相当する部材には同一符号を付し、重複した説明は省略する。
【００２５】
図１の本発明の第１の実施の形態に係る遊技機としてのスロットマシン１０の斜視図を参照し、スロットマシン１０の構成について詳細に説明をする。スロットマシン１０は、有価の遊技媒体、例えば、コイン、紙幣、メダル、遊技球又はトークンなどの他、遊技者に付与された、もしくは付与される遊技価値の情報を記憶したカード等を用いる。ここでは、特に価値の高い遊技媒体であるコイン及び紙幣を用いる遊技機として説明する。
【００２６】
スロットマシン１０の全体を形成している本体１２は、筐体１４と、筐体１４に対して不図示のヒンジ等により開閉自在に取り付けられる扉１６とを含んで構成されている。筐体１４は、略直方体で１の面に開口が形成されており、扉１６の開閉により該開口を開放または閉鎖状態することが可能なように構成されている。また、扉１６も筐体１４と同様に略直方体で１の面に開口が形成されており、閉鎖状態で、筐体１４と扉１６の開口が互いに対面するように取り付けられることで、本体１２内部にスロットマシン１０に組み付けられる各種の部品を収納するように構成されている。なお、ここでは扉１６は、筐体１４に不図示のヒンジによって取り付けられるものとしたが、本発明はこれに限らず、開閉可能に取り付けられる形態でれば他の形態であってもよい。
【００２７】
扉１６の正面には、遊技中の演出画像や各種情報画像等を表示する表示装置としての液晶表示装置２２が備えられており、液晶表示装置２２には、該画像を表示する表示領域２２ａが略垂直に形成されている。なお、表示装置２２は液晶表示装置に限らず、ＥＬ等のドットマトリクス表示器であってもよい。また、表示領域２２ａを設けた樹脂製のパネルにおいて、当該表示領域２２ａ以外の領域に演出画像や各種遊技情報の表示装置として、ＣＲＴ、プラズマディスプレイ、７セグメント、ＬＥＤ等を設けたものでもよい。
【００２８】
表示領域２２ａには、水平方向に平行な有効ラインとして、図中上方から順にトップライン、センターライン及びボトムラインが設けられており、さらに、斜め方向に図中左上方から右下方に向かうクロスダウンライン及び左下方から右上方に向かうクロスアップラインが設けられている。表示領域２２ａは、透過性の高い画像が表示可能に構成されており、該透過性の高い画像が表示された場合には、本体１２の内部に配設されている３つのリール２４Ｌ、２４Ｃ、２４Ｒが視認可能となるように構成されている。
【００２９】
各リール２４Ｌ、２４Ｃ、２４Ｒは、各々略円筒状に形成されており、外周面に複数種類の図柄によって構成される図柄列が描かれており、回転自在に横一列に設けられている。各リール２４Ｌ、２４Ｃ、２４Ｒの内部には、不図示のステッピングモータが備えられており、該ステッピングモータの駆動に応じて、各リール２４Ｌ，２４Ｃ，２４Ｒが回転、停止されるように構成されており、各リール２４Ｌ、２４Ｃ、２４Ｒが駆動されることにより、図柄が変動するように視認可能となる。また、リール２４Ｌ、２４Ｃ、２４Ｒが停止されることにより、図柄が停止するように視認可能となる。各リール２４Ｌ、２４Ｃ、２４Ｒの図柄は上述の通り、表示領域２２ａを通して遊技者が観察できるように構成されている。
【００３０】
扉１６の表示領域２２ａ下方には水平面の台座部３５が形成されている。台座部３５の上面右側には、コイン投入口２６が設けられており、コイン投入口２６にコインが投入されることにより遊技の実行が可能となるように構成されている。コイン投入口２６の右側方には、紙幣を挿入可能な紙幣挿入口２８が備えられている。この紙幣挿入口２８から紙幣が挿入されることによっても、遊技の実行が可能となるように構成されている。
【００３１】
さらに、台座部３５の上面左側には遊技者による操作が可能な操作部３０が備えられており、操作部３０には１回の押下操作により、例えば、既に投入されているコインのうちの１枚だけを遊技の賭けの対象とするための１−ＢＥＴスイッチ３１、既に投入されているコインのうちの２枚だけを遊技の賭けの対象とするための２−ＢＥＴスイッチ３２と、既に投入されているコインのうち１回の遊技に可能な最大枚数のコインを遊技の賭けの対象とするための最大ＢＥＴスイッチ３３が設けられている。これらのＢＥＴスイッチ３１、３２、３３を押下操作することで、押下操作されたＢＥＴスイッチに応じて上述した有効ラインが有効化されることになる。また、最大ＢＥＴスイッチ３３の図中右側には、各リール２４Ｌ、２４Ｃ、２４Ｒの回転を開始させるためのスタートスイッチ３６が設けられている。
【００３２】
図中操作部３０の右側、コイン投入口２６の手前側には、払い出しスイッチ３４が設けられており、このスイッチを押下操作することにより、投入されているコイン、あるいは遊技中に獲得したコインが扉１６の台座部３５の下方に形成されたコイン払い出し口４０から払い出され、払い出されたコインは、コイントレイ４１に溜められるように構成されている。
【００３３】
また、本体１２の鉛直方向上面には報知ランプ４３が配設されている。報知ランプ４３は、スロットマシン１０の異常を検出したとき、遊技者が係員を呼び出すときなどに点灯あるいは点滅し、係員に対してその旨を報知するものである。報知ランプ４３は、複数のＬＥＤ、複数のランプ、複数の蛍光灯などから構成してもよく、遊技者に視覚的に遊技状態を把握させることができれば何でもよい。
【００３４】
図２は、扉１６を開放した状態のスロットマシン１０の概略を示す図である。筐体１４は、上述の通り略直方体で１の面に開口が形成されており、内部には各種の部品が取り付けられている。
【００３５】
筐体１４の内壁には、支持ボード４２が水平に取り付けられている。支持ボード４２の上方には、上述の３つのリール２４Ｌ，２４Ｃ，２４Ｒが配設されている。支持ボード４２の下方には、主制御回路６０が外部との不測の物理的な接触を規制するようにケーシングに収納された状態で備えられており、主制御回路６０は、スロットマシン１０を制御するため、スロットマシン１０に関する情報処理を実行するものである。
【００３６】
主制御回路６０の図中右側方には、遊技媒体収容部としての紙幣取扱装置５４が備えられている。紙幣取扱装置５４は紙幣挿入口２８を通じて本体１２の外部から紙幣が挿入されたことを検知、搬送し、さらに搬送された紙幣を収容するように構成されている。紙幣取扱装置５４は、紙幣を紙幣取扱装置５４に取り入れるための紙幣取入口５４ｂを備えており、扉１６が閉鎖されている状態で、紙幣挿入口２８と紙幣取入口５４ｂとが接する位置に支持機構５６によって支持されている。支持機構５６は、筐体１４及び支持ボード４２により支持される。
【００３７】
さらに、図中主制御回路６０の下方には、遊技媒体収容部としてのホッパ−５８が備えられている。ホッパ−５８には、コイン投入口２６（図１参照）を介して本体１２内に投入されたコイン、払い出しのためのコイン等が収容されるように構成されている。所定の払い出し条件を満たした場合に、コインをコイン払い出し口４０（図１参照）を介してコイントレイ４１（図１参照）に払い出すように主制御回路６０によって制御されている。また、ホッパー５８の左側方には、主制御回路６０、紙幣取扱装置５４等に電源を供給する電源装置５９が備えられている。また、扉１６の内壁の、およそ上部には液晶表示装置２２が、およそ中央部には、コイン投入口２６（図１参照）から投入され、ホッパー５８に収容されるコインの枚数、種類等を識別するコイン識別装置５５が取り付けられている。
【００３８】
さらに、筐体１４の扉１６がヒンジで取り付けられている面に対向する面の内側には、後述する扉施錠状態検出装置１（図５参照）を構成している第１の施錠部としてのドアロッカー２及び第２の施錠部としてのキーブレード３が設置されている。扉１６の筐体１４にヒンジで取り付けられる面に対向する面の内側には、略円柱状に形成されたピン９ａ、ピン９ｂが、該対向する面に対して垂直に固定的に取り付けられており、ドアロッカー２に形成されている略Ｌ字型の突部とピン９ａ、９ｂとが係合し筐体１４と扉１６とを係止することで施錠するように構成されている。詳細については図５、図６で説明する。
【００３９】
図３の本発明の実施の形態に係るスロットマシン１０の主制御回路６０の構成を示すブロック図を参照して主制御回路６０について説明する。なお、構成要素の符号については適宜図１又は図２を参照する。上述した１−ＢＥＴスイッチ３１、２−ＢＥＴスイッチ３２、最大ＢＥＴスイッチ３３及びスタートスイッチ３６は、主制御回路６０のインターフェイス回路群６２に接続され、インターフェイス回路群６２は、入出力バス６４に接続されている。各スイッチを押下操作することによりそれぞれ所定の信号を発生し、入出力バス６４に送信される。入出力バス６４は、ＣＰＵ６６にデータ信号又はアドレス信号が入出力されるようになされている。なお、ここでは、ＣＰＵ６６は外部との信号の送受信をバス経由で行なっているが、ポート経由で行なってもよい。さらに、１−ＢＥＴスイッチ３１、２−ＢＥＴスイッチ３２及び最大ＢＥＴスイッチ３３に限らず、３−ＢＥＴスイッチ等、他の種類のＢＥＴスイッチであってもよい。
【００４０】
インターフェイス回路群６２には、コイン等検知センサ４４も接続されており、上述したコイン投入口２６にコインが、又は紙幣挿入口２８に紙幣が投入された場合に、投入されたコイン又は紙幣の種類及び枚数に関する情報を信号化して、当該信号をインターフェイス回路群６２に送信する。
【００４１】
また、インターフェイス回路群６２には、払い出しスイッチ３４も接続されており、遊技者が払い出しスイッチ３４を押下操作した場合には、所定の信号が入出力バス６４に送信され、当該信号に基づき、ホッパー５８に収容されているコインがコイン払い出し口４０から払い出されるように構成されている。
【００４２】
入出力バス６４には、ＲＯＭ６８及びＲＡＭ７０も接続されている。ＲＯＭ６８にはスロットマシン１０のシステム全体の流れを制御する制御プログラムが記憶されている。さらに、ＲＯＭ６８には、制御プログラムを実行するための初期データや、液晶表示装置２２等における表示制御をするプログラムの一部等が記憶されている。また、ＲＡＭ７０には、上述したプログラムや、遊技プログラムで使用するフラグや変数の値が記憶されている。さらに、入出力バス６４には、ハードディスクドライブ７４も接続されている。
【００４３】
入出力バス６４には、インターフェイス回路群７２も接続されている。インターフェイス回路群７２には、スピーカ８０、報知ランプ４３、及び払い出し装置８２が接続されており、インターフェイス回路群７２は、ＣＰＵ６６における演算処理の結果に応じて上述した装置の各々を制御すべく駆動信号や駆動電力を送信するように構成されている。
【００４４】
さらにまた、入出力バス６４には、乱数を発生させるための乱数発生部７８が接続されている。例えば、ＢＥＴスイッチ３１、３２，３３のいずれかが操作された後、スタートスイッチ３６が操作された場合、乱数を発生させるための命令がＣＰＵ６６から乱数発生部７８へ送信され、これにより乱数発生部７８は所定の範囲の乱数を発生させ、その乱数の値を示す信号を入出力バス６４に発するのである。ＣＰＵ６６は同時に、各リール２４Ｌ、２４Ｃ、２４Ｒの回転駆動制御を開始させる信号を送り（図示せず）、発生された乱数により遊技の進行状況を決定する。そして、乱数発生部７８から発せられた乱数は、抽選結果を示すデータとしてＲＡＭ７０に記録される。ＣＰＵ６６は、ＲＡＭ７０に記録されたデータに基づいて、各リール２４Ｌ、２４Ｃ、２４Ｒを停止制御し、所定の図柄が有効化された有効ラインに停止した場合には、上述のようにホッパー５８が収容されているコインをコイン払い出し口４０から払い出すように構成されている。なお、この乱数発生部７８が発生する乱数は抽選結果を決定するために用いられれば何でもよく、また、乱数発生部７８はＣＰＵ６６、ＲＯＭ６８に格納されたプログラム、ＲＡＭ７０などによりソフト的に実現してもよい。
【００４５】
インターフェイス回路群７２には、表示制御回路２００も接続されており、表示制御回路２００は、主制御回路６０から発せられる画像表示命令に基づいて表示制御回路２００に接続されている液晶表示装置２２を駆動するための駆動信号を送信する。
【００４６】
図４の本発明の第１の実施の形態に係るスロットマシン１０の表示制御回路２００の構成を示すブロック図を参照して表示制御回路２００について説明する。なお、構成要素の符号については適宜図１又は図２を参照する。インターフェイス回路２０２は、入出力バス２０４に接続されており、上述した主制御回路６０から発せられた画像表示命令は、インターフェイス回路２０２を介して入出力バス２０４に送信される。入出力バス２０４は、ＣＰＵ２０６にデータ信号又はアドレス信号が入出力されるように構成されている。本実施の形態では、ＣＰＵ２０６は外部との信号の送受信をバス経由で行なっているが、ポート経由で行なってもよい。
【００４７】
入出力バス２０４には、ＲＯＭ２０８及びＲＡＭ２１０も接続されている。ＲＯＭ２０８には、主制御回路６０から発せられた画像表示命令に基づいて液晶表示装置２２に送信する駆動信号を生成するための表示制御プログラムが記憶されている。一方、ＲＡＭ２１０には、当該プログラムで使用するフラグや変数の値が記憶されている。
【００４８】
さらに、入出力バス２０４には、画像データプロセッサ（以下、ＶＤＰと称する）２１２も接続されている。このＶＤＰ２１２は、いわゆるスプライト回路、スクリーン回路、及びパレット回路等の回路を含み、液晶表示装置２２に画像を表示させるための種々の処理を行なうことができる処理装置である。
【００４９】
ＶＤＰ２１２には、主制御回路６０から送信する画像表示命令に応じた画像データを記憶するためのビデオＲＡＭ２１４と、背景の画像データや、図柄の画像データや、キャラクタの画像データ等の画像データを記憶する画像データ用ＲＯＭ２１６と、が接続されている。更に、ＶＤＰ２１２には、液晶表示装置２２を駆動するための駆動信号を送信する駆動回路２１８も接続されている。
【００５０】
上述したＣＰＵ２０６は、ＲＯＭ２０８に記憶されている表示制御プログラムを読み出して実行することにより、主制御回路６０から送信される画像表示命令に応じて液晶表示装置２２に表示する画像データをビデオＲＡＭ２１４に記憶させる。主制御回路６０から送信される画像表示命令には、背景表示命令や、図柄表示命令、キャラクタ表示命令等の表示命令が含まれる。
【００５１】
また、画像データ用ＲＯＭ２１６には、演出画面として表示される動体物等のキャラクタのキャラクタ画像データ、液晶表示装置２２等の背景を構成する背景画像データ等の画像データが記憶されている。キャラクタ画像データは、例えば、遊技に伴って液晶表示装置２２にキャラクタが一連の動作をする態様を表示するのに必要となる画像データを含むものである。
【００５２】
次に、図５の本発明の第１の実施の形態に係る扉施錠状態検出装置１の分解斜視図を参照する。なお、本図では説明を容易にするため扉１６は破線で示してある。前述のように、扉施錠状態検出装置１は、第１の施錠部としてのドアロッカー２及び第２の施錠部としてのキーブレード３を備えている。筐体１４の扉１６がヒンジで取り付けられている面に対向する面の内側に、板金等により略長方形形状に形成されたドアロッカー２が配設されている。ドアロッカー２の鉛直方向に対して上端近傍及び下端近傍には、それぞれ略楕円形状の図中縦方向に長い長穴２ｂ、長穴２ｃが形成されている。さらにドアロッカー２の筐体１４の内壁側の面には、略円筒状に形成されたつまみ４が、ドアロッカー２の面に対して垂直に、すなわちおよそ水平方向に固定的に取り付けられている。
【００５３】
また、筐体１４の内壁には、略円柱状で筐体１４の内壁に対して垂直に突起１４ａが取り付けられており、さらに、突起１４ａの鉛直方向下方には同様に突起１４ｂが取り付けられている。突起１４ａと突起１４ｂとの間の中央付近には略楕円形状の図中縦方向に長い長穴４ａが形成されている。
【００５４】
ドアロッカー２は、長穴２ｂに突起１４ａを、長穴２ｃに突起１４ｂを、長穴４ａにつまみ４をそれぞれ嵌挿することで、筐体１４の内壁に引っ掛かるように取り付けられ、さらに、突起１４ａ及び突起１４ｂの先端には、ワッシャを挟んで、ドアロッカー２が移動可能で、かつ突起１４ａ、１４ｂから脱落しないようにナットが取り付けられている。また、つまみ４は、長穴４ａから筐体１４の外部に露出した状態となる（図１参照）。
【００５５】
すなわち、ドアロッカー２は、係員等がつまみ４を摘んで鉛直方向に移動させることで、突起１４ａが長穴２ｂの下側の縁部と、突起１４ｂが長穴２ｃの下側の縁部と、または、つまみ４が長穴４ａの上側の縁部と当接するまで、鉛直方向に移動可能な構成となっている。
【００５６】
ドアロッカー２には、扉１６側の縁部に略Ｌ型の突部８ａが略Ｌ型のくぼみが下方を向くように形成されており、さらに突部８ａの鉛直方向下方には同様に突部８ｂが形成されている。また、略長方形状に形成された板金９ｃ、板金９ｄが、扉１６の開口に対向する面（図２参照）の内側に、該開口に対向する面に対して垂直に鉛直方向に立てて、後述するキーブレード３よりも筐体１４の内部側に位置するように固定されている。さらに、扉１６には、前述のように扉１６が筐体１４に取り付けられる面に対向する面の内側（図２参照）に、略円柱状に形成されたピン９ａが、それぞれ該対向する面に対して垂直に、該対向する面と板金９ｃとによって挟み込まれるように固定的に取り付けられている。同様に、ピン９ａの鉛直方向下方には、該対向する面と板金９ｄとによって挟み込むように、ピン９ｂが固定的に取り付けられている。
【００５７】
筐体１４及び扉１６は、ドアロッカー２に形成された突部８ａの略Ｌ型のくぼみとピン９ａとが、突部８ｂの略Ｌ型のくぼみとピン９ｂとが、それぞれ係合し筐体１４と扉１６とを係止することで施錠するように構成されている。さらに、ドアロッカー２が鉛直方向に対して上方に移動することで、筐体１４と扉１６との係止が解かれ、解錠するように構成されている。これにより扉１６の開放が可能となる。
【００５８】
さらに、ドアロッカー２の突部８ａ、８ｂの反対側の縁部には、鉛直方向ほぼ中央に略長方形状の突部８ｃが形成されている。突部８ｃの上側の縁部には、板金等により略長方形状に形成された当接部８ｄが、水平方向に固定されている。
【００５９】
ドアロッカー２の扉１６とは反対側、当接部８ｄの上方には、キーブレード３が、ドアロッカー２よりも筐体１４の内部側に位置し、一部分がドアロッカー２に重なるように配設されている。キーブレード３は、板金等により略楕円形状に形成されている。さらに、キーブレード３は、突部として当接部３ｂが形成されており、ドアロッカー２が施錠状態であるときに、当接部３ｂとドアロッカーの当接部８ｄとが当接することで、ドアロッカー２の鉛直方向の移動を制限し、ドアロッカー２を施錠するように構成されている。
【００６０】
キーブレード３の筐体１４の内壁側の面には、キーシリンダー５ａが、キーブレード３の面に対して垂直に、すなわち、およそ水平方向に固定的に取り付けられている。キーシリンダー５ａは、筐体１４の内壁に形成されている穴５から筐体１４の外部に露出した状態となるように構成されている（図１参照）。キーブレード３は、係員等がキーシリンダー５ａに所定の鍵を挿入し、キーシリンダー５ａを図中右回り（時計回り）に回動することで、キーシリンダー５ａと一体となって、ここでは９０°程度回動することとなる。
【００６１】
また、キーブレード３は、キーブレード３が施錠状態である時に、回動軸、すなわち、キーシリンダー５ａから当接部３ｂの下側の縁部までの鉛直方向の長さが、キーシリンダー５ａからキーブレード３の扉１６側の縁部までの水平方向の長さよりも長くなるように構成されている。すなわち、キーブレード３は、キーブレード３が図中右回りに９０°程度回動すると、当接部３ｂと当接部８ｄとの当接が解かれ、ドアロッカー２の鉛直方向への移動の制限がなくなり、解錠されるように構成されている。
【００６２】
ドアロッカー２には、第１の光通過部としての孔２ａが形成されている。孔２ａは、キーブレード３が完全に解錠状態である時に、筐体１４内部側から見て、キーブレード３の背面に隠れて露出しない位置（図６（Ｂ）参照）、ここではドアロッカー２の鉛直方向に対して上端から３分の１から４分の１程度、水平方向に対してほぼ中央の位置に形成されている。さらにキーブレード３には、第２の光通過部としての孔３ａが孔２ａとほぼ等しい大きさで形成されている。孔３ａは、キーブレード３が施錠状態である時に、孔２ａと重なる位置（図６（Ａ）参照）、ここでは図中キーブレード３の全体広さの中で右下近傍に形成されている。すなわち、孔２ａと孔３ａとは、キーブレード３が施錠状態である時に重畳するような位置、すなわち、一致する位置に形成されている。ここで、孔２ａと孔３ａとが重畳するとは、投光部（本実施の形態では、後述する発光ダイオード６）と第１の受光部（本実施の形態では、後述する第１のフォトトランジスタ７ａ）とを結んだ直線上、すなわち、投光部によって投光される光の光路上に、光を通過するように孔２ａと孔３ａとが位置する状態のことをいい、要するに、投光部によって投光された光が、孔２ａ、孔３ａを通過して第１の受光部によって受光される状態のことをいう。またここでは、光路がドアロッカー２、キーブレード３に対して若干傾斜しているので、孔２ａ、孔３ａも光路の傾斜に沿わせるように若干ずらして形成することで光を遮り難くなるので好ましい。なお、本実施の形態では、孔２ａ、孔３ａともに略円形に形成しているが、例えば、略楕円形、略四角形としてもよいことはいうまでもない。さらに、孔２ａ、孔３ａのうち、どちらか一方が略楕円形、もう一方が略四角形としてもよく、この場合も孔２ａと孔３ａとが重畳するとは、上述と同様に、投光部によって投光された光が、孔２ａ、孔３ａを通過して第１の受光部によって受光される状態のことをいう。
【００６３】
ドアロッカー２の筐体１４の内壁側の面、すなわち、前述したつまみ４が形成されている面には、次に説明する投光部６によって投光された光を反射するように鏡面加工することで反射部９０が形成されている。さらに、キーブレード３の筐体１４の内壁側の面、すなわち、前述したキーシリンダー５ａが取り付けられている面には、投光部６によって投光された光を遮光するように黒色に塗装することで遮光部９１が形成されている。
【００６４】
また、扉施錠状態検出装置１は、光を投光する投光部としての発光素子、ここでは発光ダイオード６を備えている。発光ダイオード６は、筐体１４の内壁に筐体１４の反対側内部側壁方向を向けて取り付けられている。また、ドアロッカー２が施錠状態にあるときの、孔２ａの中心線を含む鉛直方向の平面内に配置されている。この鉛直方向の平面は、前記反射部９０に垂直な平面でもある。発光ダイオード６は、鉛直方向の位置関係で言えば、本実施の形態では、孔２ａのやや下方に配設されている。
【００６５】
さらに、扉施錠状態検出装置１は、発光ダイオード６によって投光された光を受光する第１の受光部としての受光素子、ここでは第１のフォトトランジスタ７ａと、発光ダイオード６によって投光された光の反射光を受光する第２の受光部としての受光素子、ここでは同様に第２のフォトトランジスタ７ｂを備えている。
【００６６】
第１のフォトトランジスタ７ａは、キーブレード３が施錠状態である時に、扉１６に固定されている板金９ｃのキーブレード側の面で、発光ダイオード６と孔２ａの中心とを結んだ直線の延長線が板金９ｃのキーブレード側の面と交わる位置、ここでは、板金９ｃの固定されている端部の斜め上方に配設されている。言い換えれば、第１のフォトトランジスタ７ａは、発光ダイオード６と同じく、孔２ａの中心線を含む鉛直方向の平面内に配置されている。すなわち、キーブレード３が施錠状態である時に、発光ダイオード６によって投光された光が、孔２ａ、孔３ａを順に通過し、第１のフォトトランジスタ７ａによって受光されるように構成されている。また、発光ダイオード６と第１のフォトトランジスタ７ａとは、投光する面と受光する面とが互いに向き合うように配設されている。
【００６７】
第２のフォトトランジスタ７ｂは、発光ダイオード６が配設されている筐体１４の内壁で、キーブレード３が施錠状態である時に、孔２ａの中心と孔３ａの中心とを通るドアロッカー２の表面に垂直な直線に対して発光ダイオード６と線対称な位置に配設されている。すなわち、ドアロッカー２が解錠状態である時に、発光ダイオード６によって投光された光が反射部９０によって反射し、該反射光が第２のフォトトランジスタ７ｂに受光されるように構成されている。なお、発光ダイオード６、第１のフォトトランジスタ７ａ、第２のフォトトランジスタ７ｂは、孔２ａの中心線を含む鉛直方向の平面内に配置されているものとして説明したが、これに限らず、孔２ａの中心線を含む水平方向の平面内に配置されているように構成してもよい。
【００６８】
また、発光ダイオード６は、自然光と区別できる光、典型的にはパルス光を投光するように構成されている。なお、ここでは、発光ダイオード６によって投光される光は平行光として説明するが、平行光に近い光等でもよいことはいうまでもない。ここで自然光とは、屋外の太陽光のような完全な白色光に限らず、屋内照明の蛍光灯や白熱灯の光であってもよい。蛍光灯の光は複数の波長の光が混合した光であり、白熱灯からの光は短波長の光が太陽光よりも少ない光であるが、パルス光はいずれの光からも区別が可能である。ただし、本扉施錠状態検出装置の設置場所の自然光が蛍光灯からの光のときは、電源周波数（関東では５０Ｈｚ、関西では６０Ｈｚ、インバーター蛍光灯ではさらに高周波数）よりも高い周波数のパルスを有するパルス光とするとよい。
【００６９】
なお、以上の説明では、反射部９０は鏡面加工するものとしたが、発光ダイオード６によって投光された光が反射するように形成されていればよく、例えば、白色に塗装された面であってもよい。遮光部９１は、黒色に塗装して形成するものとしたが、反射面であってもその反射光が第２のフォトトランジスタ７ｂに達しないように配置されていればよい。例えば、ドアロッカー２とキーブレード３とを広めの間隔をあけて設置し、キーブレード３の反射部９０で反射された光がドアロッカー２の孔２ａを通過しないようにすればよい。
【００７０】
図６は、扉施錠状態検出装置１の動作を説明する図であり、（Ａ）、（Ｂ）、（Ｃ）は部分的な斜視図である。（ａ）、（ｂ）、（ｃ）は孔２ａ、孔３ａを含む概略断面図であり、（ａ）は（Ａ）に示す状態での概略断面図、（ｂ）は（Ｂ）に示す状態での断面図を概念的に示した図であり、（ｃ）は（Ｃ）に示す状態での概略断面図である。
【００７１】
図６（Ａ）は、ドアロッカー２及びキーブレード３ともに施錠状態であるときの態様を示している。この場合、図６（ａ）に示すように、ドアロッカー２の孔２ａの位置とキーブレード３の孔３ａの位置とが一致するため、発光ダイオード６によって投光された光は、孔２ａ、孔３ａを順に通過して、第１のフォトトランジスタ７ａによって受光される。このとき、第２のフォトトランジスタ７ｂは発光ダイオード６によって投光された光を受光していない。すなわち、発光ダイオード６によって投光された光を、第１のフォトトランジスタ７ａのみが検知し、ドアロッカー２及びキーブレード３がともに施錠状態であることが検出される。
【００７２】
図６（Ｂ）は、ドアロッカー２が施錠状態、キーブレード３が解錠状態であるときの態様を示している。この場合、図６（ｂ）に示すように、施錠状態であったキーブレード３は、解錠されるべく図中右回り（時計回り）に回動され、孔３ａもキーブレード３の回動に伴い移動する。これにより、ドアロッカー２の孔２ａの位置とキーブレード３の孔３ａの位置とが重畳せず、すなわち、一致せず、発光ダイオード６によって投光された光は、孔２ａは通過するが、キーブレード３に形成された遮光部９１によって遮光され、孔３ａは通過せず、第１のフォトトランジスタ７ａは発光ダイオード６によって投光された光を受光しない。このときも、第２のフォトトランジスタ７ｂは発光ダイオード６によって投光された光を受光していない。すなわち、発光ダイオード６によって投光された光を、第１のフォトトランジスタ７ａ、第２のフォトトランジスタ７ｂともに検知せず、キーブレード３が解錠状態であること、また、ドアロッカー２は施錠状態にあるが解錠可能な状態であることが検出される。
【００７３】
図６（Ｃ）は、ドアロッカー２及びキーブレード３がともに解錠状態であるときの態様を示している。この場合、図６（ｃ）に示すように、施錠状態であったドアロッカー２は、解錠されるべく鉛直方向上方に移動され、孔２ａもドアロッカー２の移動に伴い移動する。この場合は、発光ダイオード６によって投光された光は、ドアロッカー２に形成された反射部９０によって反射し、該反射光は第２のフォトトランジスタ７ｂによって受光される。さらに、ドアロッカー２が解錠状態となることで、扉１６（図１参照）は開放可能な状態となる。このとき、第１のフォトトランジスタ７ａは発光ダイオード６によって投光された光を受光していない。すなわち、発光ダイオード６によって投光された光を、第２のフォトトランジスタ７ｂのみが検知し、ドアロッカー２及びキーブレード３がともに解錠状態にあることが検知される。なお、本実施の形態ではフォトトランジスタ７ａ、７ｂは、扉１６が開放状態となると、発光ダイオード６によって投光された光ではない自然光を受光するような位置に取り付けられている。
【００７４】
図６（Ｃ）に示した状態は、扉１６が開放可能な状態であり、扉１６が開放されると、第１のフォトトランジスタ７ａ及び第２のフォトトランジスタ７ｂは自然光を受光することとなる。すなわち、第１のフォトトランジスタ７ａ及び第２のフォトトランジスタ７ｂが、ともに自然光を検知し、扉１６が開放状態であることが検出される。
【００７５】
第１のフォトトランジスタ７ａ及び第２のフォトトランジスタ７ｂによる検出結果は、不図示の検出処理部に送信されるように構成されている。検出処理部は、主制御回路６０に組み込んで構成してもよいし、別体として構成してもよい。検出処理部は受信した検出結果に基づいて、報知情報を生成し報知手段に送信するように構成されている。ここでの報知手段とは施錠状態がいかなる状態にあるかを係員等に認識させるものであればなんでもよく、例えば、液晶表示装置２２（図１参照）や遊技機が設置されている部屋とは別の部屋に設けられている不図示の中央管理装置などが用いられる。この場合、施錠状態を画像表示して係員等に報知することができるので、係員等は施錠状態を画像情報として容易に認識することができる。
【００７６】
また、第１のフォトトランジスタ７ａ及び第２のフォトトランジスタ７ｂによる検出結果は、不図示の検出処理部を介さずに係員等に報知するように構成することもできる。この場合、例えば、報知ランプ４３（図１参照）に検出結果を直接送信し、発光ダイオード６によって投光された光を、第１のフォトトランジスタ７ａのみが受光している状態、すなわち、ドアロッカー２及びキーブレード３がともに施錠状態であれば報知ランプ４３を消灯、発光ダイオード６によって投光された光を、第１のフォトトランジスタ７ａ及び第２のフォトトランジスタ７ｂともに受光していない状態、すなわち、ドアロッカー２が施錠状態、キーブレード３が解錠状態であれば報知ランプ４３を点滅、発光ダイオード６によって投光された光を、第２のフォトトランジスタ７ｂのみが受光している状態、すなわち、ドアロッカー２及びキーブレード３がともに解錠状態であれば報知ランプ４３を前出の点滅よりも短い周期での点滅、第１のフォトトランジスタ７ａ及び第２のフォトトランジスタ７ｂがともに自然光を受光している状態、すなわち、扉１６が開放されている状態であれば報知ランプ４３を連続点灯とすることで、遊技機の構成をより単純な構成とすることができる。
【００７７】
以上で説明した扉施錠状態検出装置１によれば、第１のフォトトランジスタ７ａ及び第２のフォトトランジスタ７ｂが、発光ダイオード６によって投光された光を受光するか否かによって、孔２ａと孔３ａとの相対的位置関係を検知し、各施錠部、ここでは、ドアロッカー２及びキーブレード３の施錠または解錠状態を、それぞれ独立して検出することができるので、係員等は現在の施錠状態がいかなる施錠状態であるかを明確に把握することができ、防犯管理上極めて有効である。また、施錠したつもりでも完全に施錠されていなかった状態、いわゆる半ロック状態を予防することもできる。
【００７８】
さらに、第１のフォトトランジスタ７ａ及び第２のフォトトランジスタ７ｂがともに自然光を受光するか否かによって、扉１６の開閉状態も検出することができる。
【００７９】
また、以上で説明した遊技機１０によれば、扉施錠状態検出装置１を備えるので、遊技機１０に遊技者にとって価値の高い有価の遊技媒体、特に、コインや紙幣などの貨幣を収容する場合でも、防犯性、安全性が高まる。
【００８０】
なお、本発明に係る扉施錠状態検出装置及び遊技機は、上述した実施形態に限定されるものではなく、特許請求の範囲に記載された範囲で種々の変更が可能である。ここで、図７の変形例を説明する図を参照して、種々の例について説明する。なお、構成については、適宜図６を参照する。
【００８１】
図７に示すＣａｓｅ１は、以上で説明してきた例である。発光ダイオード６側に、反射部９０が形成された第１の施錠部としてのドアロッカー２が配設され、第１のフォトトランジスタ７ａ側に、遮光部９１が形成された第２の施錠部としてのキーブレード３が配設される。ドアロッカー２及びキーブレード３がともに施錠状態であるときに、孔２ａと孔３ａとが一致し、第１のフォトトランジスタ７ａのみが受光するものとして構成される。キーブレード３が解錠されると、第１のフォトトランジスタ７ａ及び第２のフォトトランジスタ７ｂ共に非受光となる。さらに、ドアロッカー２が解錠されると、第２のフォトトランジスタ７ｂのみが受光する。
【００８２】
図７に示すＣａｓｅ２は、Ｃａｓｅ１と同様に、発光ダイオード６側に、反射部９０が形成された第１の施錠部としてのドアロッカー２が配設され、第１のフォトトランジスタ７ａ側に、遮光部９１が形成された第２の施錠部としてのキーブレード３が配設される。ただし、Ｃａｓｅ１と異なりドアロッカー２が施錠状態、キーブレード３が解錠状態であるときに、孔２ａと孔３ａとが一致し、第１のフォトトランジスタ７ａのみが受光するものとして構成される。ドアロッカー２が解錠されると、第２のフォトトランジスタ７ｂのみが受光する。キーブレード３が施錠されると、第１のフォトトランジスタ７ａ及び第２のフォトトランジスタ７ｂ共に非受光となる。
【００８３】
図７に示すＣａｓｅ３は、Ｃａｓｅ１、Ｃａｓｅ２とは異なり、発光ダイオード６側に、反射部９０が形成された第１の施錠部としてのキーブレード３が配設され、第１のフォトトランジスタ７ａ側に、遮光部９１が形成された第２の施錠部としてのドアロッカー２が配設される。ドアロッカー２が施錠状態、キーブレード３が解錠状態であるときに、孔２ａと孔３ａとが一致し、第１のフォトトランジスタ７ａのみが受光するものとして構成される。ドアロッカー２が解錠されると、第１のフォトトランジスタ７ａ及び第２のフォトトランジスタ７ｂ共に非受光となる。キーブレード３が施錠されると、第２のフォトトランジスタ７ｂのみが受光する。
【００８４】
図７に示すＣａｓｅ４は、Ｃａｓｅ３と同様に、Ｃａｓｅ１、Ｃａｓｅ２とは異なり、発光ダイオード６側に、反射部９０が形成された第１の施錠部としてのキーブレード３が配設され、第１のフォトトランジスタ７ａ側に、遮光部９１が形成された第２の施錠部としてのドアロッカー２が配設される。ただし、Ｃａｓｅ３と異なりドアロッカー２及びキーブレード３がともに解錠状態であるときに、孔２ａと孔３ａとが一致し、第１のフォトトランジスタ７ａのみが受光するものとして構成される。ドアロッカー２が施錠されると、第１のフォトトランジスタ７ａ及び第２のフォトトランジスタ７ｂはともに非受光となる。さらに、キーブレード３が施錠されると、第２のフォトトランジスタ７ｂのみが受光する。
【００８５】
Ｃａｓｅ１、Ｃａｓｅ２、Ｃａｓｅ３、Ｃａｓｅ４いずれの場合も、扉１６が開放状態となると、第１のフォトトランジスタ７ａ及び第２のフォトトランジスタ７ｂはともに自然光を受光する。すなわち、受光（１）、非受光（０）の符号で示せば（（１）（１））の状態である。これは各Ｃａｓｅとも共通であるので、図示を省略してある。
【００８６】
次に、図８の分解斜視図を参照して本発明の第２の実施の形態に係る扉施錠状態検出装置１０１について説明する。扉施錠状態検出装置１０１はドアロッカー２、キーブレード３、発光ダイオード６、第１のフォトトランジスタ７ａ、第２のフォトトランジスタ７ｂ、孔３ａを備える点は、第１の実施の形態と同様である。ただし、本実施の形態では、第１の実施の形態とは異なり、キーブレード３が第１の施錠部、ドアロッカー２が第２の施錠部となっている。すなわち、キーブレード３に反射部９０が、ドアロッカー２に遮光部９１が形成されており、第１の実施の形態では、第１の施錠部に形成されている反射部９０は、第２の施錠部に形成されている遮光部９１と第２のフォトトランジスタ７ｂとの間に配置されているのに対して、第２の実施の形態では、第１の施錠部に形成されている反射部９０は、第２の施錠部に形成されている遮光部９１と第１のフォトトランジスタ７ａとの間に配置されている。さらに、ドアロッカー２の所定の位置、ここでは、第１の実施の形態での孔２ａとほぼ同位置に光通部としての孔１０２ａが形成されている。その他、第１の実施の形態と共通する構成については、重複した説明はできるだけ省略する。
【００８７】
扉施錠状態検出装置１０１は、発光ダイオード６側に、遮光部９１が形成されたドアロッカー２が配設され、第１のフォトトランジスタ７ａ側に、反射部９０（反射面は発光ダイオード６側に向いている）が形成されたキーブレード３が配設されている。すなわち、筐体１４の内部側から順に、第１のフォトトランジスタ７ａ、反射部９０が形成されたキーブレード３、遮光部９１が形成されたドアロッカー２、発光ダイオード６が配設されている。
【００８８】
ドアロッカー２には、光通過部としての孔１０２ａが形成されている。孔１０２ａは、キーブレード３が完全に解錠状態である時に、筐体１４内部側から見て、キーブレード３の背面に隠れて露出しない位置（図９（Ｂ）参照）、ここではドアロッカー２の鉛直方向に対して上端から３分の１から４分の１程度、水平方向に対してほぼ中央の位置に形成されている。さらにキーブレード３には、光通過部としての孔３ａが孔１０２ａよりやや小さく形成されている。孔３ａは、孔３ａの中心が、キーブレード３が施錠状態である時に孔１０２ａの中心と重なる位置（図９（Ａ）参照）、ここでは図中キーブレード３の全体広さの中で右下近傍に形成されている。すなわち、孔１０２ａと孔３ａとは、キーブレード３が施錠状態である時に重畳するような位置、すなわち、一致する位置に形成されている。なお、扉施錠状態検出装置１０１は、キーブレード３が施錠状態である時に、孔１０２ａ及び孔３ａを、孔１０２ａと孔３ａの中心が水平方向に一致する位置に形成することで、より単純な構成とすることができる。
【００８９】
ドアロッカー２の筐体１４の内壁側の面、すなわち、前述したつまみ４が形成されている面には、発光ダイオード６によって投光された光を遮光するように黒色に塗装することで遮光部９１が形成されている。さらに、キーブレード３の筐体１４の内壁側の面、すなわち、前述したキーシリンダー５ａが取り付けられている面には、発光ダイオード６によって投光された光を反射するように鏡面加工することで反射部９０が形成されている。
【００９０】
この場合、ドアロッカー２が施錠状態であるときに、孔１０２ａは、発光ダイオード６によって投光された光が孔１０２ａを通過し、キーブレード３の反射部９０によって反射される反射光が再び孔１０２ａを通過する程度の大きさ、かつドアロッカー２が解錠状態であるときに、発光ダイオード６によって投光された光を遮光部９１によって遮光できる程度の大きさで形成されており、また、ドアロッカー２及びキーブレード３がともに施錠状態であるときに、発光ダイオード６によって投光された光が、孔１０２ａと孔３ａとを通過し、第１のフォトトランジスタ７ａのみが受光するように形成されている。
【００９１】
すなわち、キーブレード３が施錠状態である時に、発光ダイオード６によって投光された光が、孔１０２ａ、孔３ａを順に通過し、第１のフォトトランジスタ７ａによって受光されるように構成されており、キーブレード３が解錠状態、ドアロッカー２が施錠状態である時に、発光ダイオード６によって投光された光が反射部９０によって反射し、該反射光が第２のフォトトランジスタ７ｂに受光されるように構成されている。さらに、ドアロッカー２が解錠状態であるときに、発光ダイオード６によって投光された光が遮光部９１によって遮光されるように構成されている。
【００９２】
なお、第２の実施の形態では孔１０２ａは、孔３ａに比べてやや大きいものとして形成したが、所定の状態、ここでは、キーブレード３が解錠状態、ドアロッカー２が施錠状態である時に、発光ダイオード６によって投光された光がキーブレード３に形成されている反射部９０によって反射し、第２のフォトトランジスタ７ｂが受光可能になるような反射角に対応できる孔であれば、孔３ａと等しい大きさでも構わないことはいうまでもない。
【００９３】
図９は、扉施錠状態検出装置１０１の動作を説明する図であり、（Ａ）、（Ｂ）、（Ｃ）は部分的な斜視図である。（ａ）、（ｂ）、（ｃ）は孔１０２ａ、孔３ａを含む概略断面図であり、（ａ）は（Ａ）に示す状態での概略断面図、（ｂ）は（Ｂ）に示す状態での断面図を概念的に示した図であり、（ｃ）は（Ｃ）に示す状態での概略断面図である。
【００９４】
図９（Ａ）は、ドアロッカー２及びキーブレード３ともに施錠状態であるときの態様を示している。この場合、図９（ａ）に示すように、ドアロッカー２の孔１０２ａの位置とキーブレード３の孔３ａの位置とが一致するため、発光ダイオード６によって投光された光は、孔１０２ａ、孔３ａを順に通過して、第１のフォトトランジスタ７ａによって受光される。このとき、第２のフォトトランジスタ７ｂは発光ダイオード６によって投光された光を受光していない。すなわち、発光ダイオード６によって投光された光を、第１のフォトトランジスタ７ａのみが検知し、ドアロッカー２及びキーブレード３がともに施錠状態であることが検出される。
【００９５】
図９（Ｂ）は、ドアロッカー２が施錠状態、キーブレード３が解錠状態であるときの態様を示している。この場合、図９（ｂ）に示すように、施錠状態であったキーブレード３は、解錠されるべく図中右回り（時計回り）に回動され、孔３ａもキーブレード３の回動に伴い移動する。これにより、ドアロッカー２の孔１０２ａの位置とキーブレード３の孔３ａの位置とが重畳せず、すなわち、一致せず、発光ダイオード６によって投光された光は、孔１０２ａを通過し、キーブレード３の発光ダイオード６側の面に形成された反射部９０によって反射され、当該反射光は再び孔１０２ａを通過し、第２のフォトトランジスタ７ｂによって受光される。このとき、第１のフォトトランジスタ７ａは、発光ダイオード６によって投光された光を受光していない。すなわち、発光ダイオード６によって投光された光を、第２のフォトトランジスタ７ｂのみが検知し、キーブレード３が解錠状態であること、また、ドアロッカー２は施錠状態にあるが解錠可能な状態であることが検出される。
【００９６】
図９（Ｃ）は、ドアロッカー２及びキーブレード３がともに解錠状態であるときの態様を示している。この場合、図９（ｃ）に示すように、施錠状態であったドアロッカー２は、解錠されるべく鉛直方向上方に移動され、孔１０２ａもドアロッカー２の移動に伴い移動する。この場合は、発光ダイオード６によって投光された光は、ドアロッカー２の発光ダイオード６側の面に形成された遮光部９１によって遮光され、孔１０２ａ、孔３ａともに通過せず、第１のフォトトランジスタ７ａは投光された光を受光しない。さらに、投光された光は遮光部９１によって遮光されるため反射せず、第２のフォトトランジスタ７ｂも投光された光を受光していない。すなわち、発光ダイオード６によって投光された光を、第１のフォトトランジスタ７ａ、第２のフォトトランジスタ７ｂともに検知せず、ドアロッカー２及びキーブレード３がともに解錠状態であること、また、ドアロッカー２が解錠状態となることで、扉１６（図１参照）は開放可能な状態であることが検出される。なお、本実施の形態ではフォトトランジスタ７ａ、７ｂは、扉１６が開放状態となると、発光ダイオード６によって投光された光ではない自然光を受光するような位置に取り付けられている。
【００９７】
図９（Ｃ）に示した状態は、扉１６が開放可能な状態であり、扉１６が開放されると、第１のフォトトランジスタ７ａ及び第２のフォトトランジスタ７ｂは自然光を受光することとなる。すなわち、第１のフォトトランジスタ７ａ及び第２のフォトトランジスタ７ｂが、ともに自然光を検知し、扉１６が開放状態であることが検出される。
【００９８】
以上で説明した扉施錠状態検出装置１０１によれば、キーブレード３が解錠されると、発光ダイオード６によって投光された光は、キーブレード３の反射部によって反射され、第２のフォトトランジスタ７ｂのみが受光する。さらに、ドアロッカー２が解錠されると、ドアロッカー２に形成された遮光部９１が、発光ダイオード６によって投光された光を遮光し、第１のフォトトランジスタ７ａ及び第２のフォトトランジスタ７ｂはともに非受光となり、ドアロッカー２とキーブレード３の施錠状態をそれぞれ独立して検出することができる。
【００９９】
また、以上で説明した遊技機１０によれば、扉施錠状態検出装置１０１を備えるので、遊技機１０に遊技者にとって価値の高い有価の遊技媒体、特に、コインや紙幣などの貨幣を収容する場合でも、防犯性、安全性が高まる。
【０１００】
なお、本発明の第２の実施の形態も、第１の実施の形態と同様に、図１０の変形例を説明する図に示すように特許請求の範囲に記載された範囲で種々の変更が可能である。以下、図１０を参照して種々の例について説明する。なお、構成については、適宜図９を参照する。
【０１０１】
図１０に示すＣａｓｅ５は、以上で説明してきた例である。第１のフォトトランジスタ７ａ側に、反射部９０が形成された第１の施錠部としてのキーブレード３が配設され、発光ダイオード６側に、遮光部９１が形成された第２の施錠部としてのドアロッカー２が配設される。ドアロッカー２及びキーブレード３がともに施錠状態であるときに、孔１０２ａと孔３ａとが一致し、第１のフォトトランジスタ７ａのみが受光するものとして構成される。キーブレード３が解錠されると、第２のフォトトランジスタ７ｂのみが受光する。さらに、ドアロッカー２が解錠されると、第１のフォトトランジスタ７ａ及び第２のフォトトランジスタ７ｂ共に非受光となる。
【０１０２】
図１０に示すＣａｓｅ６は、Ｃａｓｅ５と同様に、第１のフォトトランジスタ７ａ側に、反射部９０が形成された第１の施錠部としてのキーブレード３が配設され、発光ダイオード６側に、遮光部９１が形成された第２の施錠部としてのドアロッカー２が配設される。ただし、Ｃａｓｅ５と異なりドアロッカー２が施錠状態、キーブレード３が解錠状態であるときに、孔１０２ａと孔３ａとが一致し、第１のフォトトランジスタ７ａのみが受光するものとして構成される。ドアロッカー２が解錠されると、第１のフォトトランジスタ７ａ及び第２のフォトトランジスタ７ｂ共に非受光となる。キーブレード３が施錠されると、第２のフォトトランジスタ７ｂのみが受光する。
【０１０３】
図１０に示すＣａｓｅ７は、Ｃａｓｅ５、Ｃａｓｅ６とは異なり、第１のフォトトランジスタ７ａ側に、反射部９０が形成された第１の施錠部としてのドアロッカー２が配設され、発光ダイオード６側に、遮光部９１が形成された第２の施錠部としてのキーブレード３が配設される。ドアロッカー２が施錠状態、キーブレード３が解錠状態であるときに、孔１０２ａと孔３ａとが一致し、第１のフォトトランジスタ７ａのみが受光するものとして構成される。ドアロッカー２が解錠されると、第２のフォトトランジスタ７ｂのみが受光する。キーブレード３が施錠されると、第１のフォトトランジスタ７ａ及び第２のフォトトランジスタ７ｂ共に非受光となる。
【０１０４】
図１０に示すＣａｓｅ８は、Ｃａｓｅ７と同様に、Ｃａｓｅ１、Ｃａｓｅ２とは異なり、第１のフォトトランジスタ７ａ側に、反射部９０が形成された第１の施錠部としてのドアロッカー２が配設され、発光ダイオード６側に、遮光部９１が形成された第２の施錠部としてのキーブレード３が配設される。ただし、Ｃａｓｅ７と異なりドアロッカー２及びキーブレード３がともに解錠状態であるときに、孔１０２ａと孔３ａとが一致し、第１のフォトトランジスタ７ａのみが受光するものとして構成される。ドアロッカー２が施錠されると、第２のフォトトランジスタ７ｂのみが受光する。さらに、キーブレード３が施錠されると、第１のフォトトランジスタ７ａ及び第２のフォトトランジスタ７ｂはともに非受光となる。
【０１０５】
Ｃａｓｅ５、Ｃａｓｅ６、Ｃａｓｅ７、Ｃａｓｅ８いずれの場合も、Ｃａｓｅ１、Ｃａｓｅ２、Ｃａｓｅ３、Ｃａｓｅ４の場合と同様に、扉１６が開放状態となると、第１のフォトトランジスタ７ａ及び第２のフォトトランジスタ７ｂはともに自然光を受光する。これは各Ｃａｓｅとも共通であるので、図示を省略してある。
【０１０６】
以上で説明した第１又は第２の実施の形態である扉施錠状態検出装置によれば、単純な構造でドアロッカー２とキーブレード３の施錠状態をそれぞれ独立して検出することができ、安価で安全性、防犯性の高い扉施錠状態検出装置および遊技機を提供することができる。
【０１０７】
なお、以上の説明では、遊技機はスロットマシンとして説明したが、パチンコ遊技機、パチスロ遊技機、ビデオスロット遊技機等の他の遊技機にも適用することができる。この場合は、有価の遊技媒体としてコイン、紙幣の他にメダル、遊技球又はトークンなどの他、遊技者に付与された、もしくは付与される遊技価値の情報を記憶したカード等を用いて遊技することができる。
【０１０８】
さらに、以上の説明では、第１のフォトトランジスタ７ａを扉１６に、発光ダイオード６、第２のフォトトランジスタ７ｂを筐体１４に配設することとしたが、発光ダイオード６、第２のフォトトランジスタ７ｂを扉１６に、第１のフォトトランジスタ７ａを筐体１４に配設するように構成してもよい。
【０１０９】
以上の説明では第１の光通過部、第２の光通過部は、孔として説明したが、当該部分で投光部によって投光された光が遮光されなければよく、例えば、ドアロッカー２又はキーブレード３の所定の部分を切除することで形成する切り欠きであってもよい。また、例えば、キーブレード３を単純な長円形とし、図６で説明した実施の形態で言えば、解錠状態でキーブレード３が発光ダイオード６の光を遮断するようにしてもよい。このときは、キーブレード３を外れた部分が光通過部に相当する。
【図面の簡単な説明】
【０１１０】
【図１】本発明の第１の実施の形態に係るスロットマシンの外観斜視図である。
【図２】本発明の第１の実施の形態に係るスロットマシンの扉を開放した状態の概略を示す図である。
【図３】本発明の第１の実施の形態に係るスロットマシンの主制御回路の構成を示すブロック図である。
【図４】本発明の第１の実施の形態に係るスロットマシンの表示制御回路の構成を示すブロック図である。
【図５】本発明の第１の実施の形態に係る扉施錠状態検出装置の分解斜視図である。
【図６】本発明の第１の実施の形態に係る扉施錠状態検出装置の動作を説明する図であり、（Ａ）、（Ｂ）、（Ｃ）は部分的な斜視図であり、（ａ）、（ｂ）、（ｃ）は孔を含む概略断面図であり、（ａ）は（Ａ）に示す状態での概略断面図、（ｂ）は（Ｂ）に示す状態での断面図を概念的に示した図であり、（ｃ）は（Ｃ）に示す状態での概略断面図である。
【図７】本発明の第１の実施の形態に係る変形例を説明する図である。
【図８】本発明の第２の実施の形態に係る扉施錠状態検出装置の分解斜視図である。
【図９】本発明の第２の実施の形態に係る扉施錠状態検出装置の動作を説明する図であり、（Ａ）、（Ｂ）、（Ｃ）は部分的な斜視図であり、（ａ）、（ｂ）、（ｃ）は孔を含む概略断面図であり、（ａ）は（Ａ）に示す状態での概略断面図、（ｂ）は（Ｂ）に示す状態での断面図を概念的に示した図であり、（ｃ）は（Ｃ）に示す状態での概略断面図である。
【図１０】本発明の第２の実施の形態に係る変形例を説明する図である。
【符号の説明】
【０１１１】
１、１０１      扉施錠状態検出装置
２      ドアロッカー
２ａ、３ａ、１０２ａ  孔
３      キーブレード
６      発光ダイオード
７ａ    第１のフォトトランジスタ
７ｂ    第２のフォトトランジスタ
１０    スロットマシン
１２    本体
１４    筐体
１６    扉
２２    液晶表示装置
４３    報知ランプ
５４    紙幣取扱装置
５８    ホッパー
６０    主制御回路
９０    反射部
９１    遮光部
【図１】
2005034554.tif 000003
【図２】
2005034554.tif 000004
【図３】
2005034554.tif 000005
【図４】
2005034554.tif 000006
【図５】
2005034554.tif 000007
【図６】
2005034554.tif 000008
【図７】
2005034554.tif 000009
【図８】
2005034554.tif 000010
【図９】
2005034554.tif 000011
【図１０】
2005034554.tif 000012